(57)【要約】      （修正有）【課題】筐体の容積を減少させないバスレフダクト、及びその出口に大きい拡大部を付けても筐体の容積を減少させないバスレフダクトを提供する。【解決手段】スピーカーのバスレフダクトであって、入口と出口を備え、筐体１に支持され、一部又は全体が筐体外部に露出し、出口が筐体外部に備えられ、出口付近の断面積が拡大する事を特徴とする。【選択図】図５
0003229993.tif 000002
【実用新案登録請求の範囲】
【請求項１】
入口と出口を備え、筐体に支持され、一部又は全体が前記筐体外部に露出し、前記出口が前記筐体外部に備えられ、前記出口付近の断面積が拡大する事を特徴とするバスレフダクト。
【請求項２】
更に前記バスレフダクトは内部に断面積を減少させる挿入物を有しており、前記挿入物は前記バスレフダクトを閉じる事がない事を特徴とする、請求項１に記載のバスレフダクト。
【請求項３】
途中に設けられた角度変更機構により、出口の向きを変更する事が可能な請求項１又は２に記載のバスレフダクト。
【請求項４】
途中に設けられた分離脱着機構により、前記拡大部を、他の形状の前記拡大部に交換可能な、請求項１又は２又は３に記載のバスレフダクト。
【請求項５】
複数本から構成される、請求項１又は２又は３又は４に記載のバスレフダクト。
【考案の詳細な説明】
【技術分野】
【０００１】  本考案はバスレフダクトに関するものである。
【技術背景】
【０００２】  スピーカーの筐体にバスレフダクトを内蔵するのが一般的である。バスレフダクト出口は拡大がなされていないものも多く、もしなされていたとしても直管部分の内径の１〜１．５倍程度に留まる。
【先行技術文献】
【特許文献】
【０００３】
【特許文献１】実開平５−６９９４
【特許文献２】特開２００８−４８１７６
【考案の概要】
【考案が解決しようとする課題】
【０００４】  スピーカーのバスレフダクトを筐体に内蔵する事でバスレフダクトが筐体の容積を減少させており、音質を劣化させていた。バスレフダクト出口での風切り音低減の為にバスレフダクト出口に大きな拡大部分を持たせた場合は更に筐体の容積を減少させてしまい、音質劣化が更に顕著であった。例えば特許文献２を参照。逆に言うと筐体の容積を減少させないためには小さいバスレフダクトと小さい拡大部分しか設けることができず、大音量時に風切り音が発生しやすかった。
【課題を解決するための手段】
【０００５】  入口と出口を備え、筐体に支持され、一部又は全体が前記筐体外部に露出し、前記出口が前記筐体外部に備えられ、前記出口付近の断面積が拡大する事を特徴とするバスレフダクトを用いる事で課題を解決できる。
【考案の効果】
【０００６】  本考案のバスレフダクトは筐体外部に備えられることから筐体の容積を減少させず、音質を向上できる。本考案のバスレフダクトは筐体の容積を減少させないことから、出口付近に大きな拡大部分を設けることができ、音質を向上できる。
【図面の簡単な説明】
【０００７】
【図１】従来型のバスレフダクトを有したスピーカーの斜視図
【図２】従来型のバスレフダクトを有したスピーカーの断面図
【図３】拡大部を有した従来型のバスレフダクトを有したスピーカーの斜視図
【図４】拡大部を有した従来型のバスレフダクトを有したスピーカーの断面図
【図５】本考案のバスレフダクトを有したスピーカーの実施例１の斜視図
【図６】本考案のバスレフダクトを有したスピーカーの実施例１の断面図
【図７】本考案のバスレフダクトを有したスピーカーの実施例２の斜視図
【図８】本考案のバスレフダクトを有したスピーカーの実施例２の断面図
【図９】本考案のバスレフダクトを有したスピーカーの実施例３の斜視図
【図１０】本考案のバスレフダクトを有したスピーカーの実施例３の断面図
【図１１】本考案のバスレフダクトを有したスピーカーの実施例３の別部品の斜視図
【図１２】本考案のバスレフダクトを有したスピーカーの実施例３の別部品の断面図
【図１３】本考案のバスレフダクトを有したスピーカーの実施例４の斜視図
【図１４】本考案のバスレフダクトを有したスピーカーの実施例４の断面図
【考案を実施するための形態】
【０００８】  本発明の実施例を図面と共に説明する。なお以下に述べる実施例は本考案を具体化した一例に過ぎず、本考案の実施例を限定するものではない。
【０００９】  実施例１  図５及び図６に示すスピーカーの筐体１の上面に、入口４の内径が５１ｍｍで外径が６０ｍｍの一定断面の円管が垂直に４０ｍｍ伸び、そこからバスレフダクト中心線の曲率半径が１００ｍｍで前方へ６０度曲がり、再度一定断面の円管部分が２０ｍｍ続き、その後出口５の内径１５３ｍｍへの拡大部分６を備えたバスレフダクト３を取り付ける。一定断面部分は筐体内部に３０ｍｍ突出している。バスレフダクト３の大部分が筐体外部に存在するので、筐体容積の減少は最低限で済む。上記の寸法により所定の断面積と長さと反共振周波数を得ることができ、更に直径拡大率３倍という大きな拡大部により風切り音を低減し、高音質を実現する。
【００１０】  実施例２  図７及び図８に示すスピーカーの筐体１の正面に、入口４の内径が５１ｍｍから出口５の内径１５３ｍｍに向かい拡大するバスレフダクト３を取り付ける。本実施例のバスレフダクト３の中心線は曲線ではなく直線である。また内径が一定の部分も無く、入口４から出口５までの全長に渡って拡大し、拡大部分６は筐体内部と外部の両方に存在する。入口４から出口５に近づくほど急激に拡大する拡大部なので、筐体容積の減少は最低限で済む。
また直径２０ｍｍ長さ２００ｍｍで先端を丸めた丸棒状の挿入物９を、先のバスレフダクト３の中心に挿入し、筐体１の背面に固定する。この挿入物９によりバスレフダクト３の断面積を減少させ、先のバスレフダクト３と共に任意の断面積と長さと反共振周波数を得ることができ、高音質を実現する。なお、前記挿入物９は筐体１の背面に固定したが、固定する場所、固定する方法に関しては特定するものではない。
【００１１】  実施例３  図９及び図１０に示すスピーカー筐体１の上面に入口４の内径が５１ｍｍの真円で、出口５が２００ｍｍの円に内接する花弁状で、入口４から出口５に向かい全長に渡って断面形状が徐々に変形しながら断面積が拡大し、かつ垂直に立ち上がった後に前方へ３０度滑らかに曲がるバスレフダクト３を取り付ける。バスレフダクト３の途中にフランジ１０が固定されており、ねじで筐体１に固定する。フランジ１０には多数の穴が開いており角度調整機構を構成しており、バスレフダクト３の出口５の向きを任意の向きに変更し固定することができる。
また別部品として図１１及び図１２に示すごとく、入口４の内径が５１ｍｍの真円で、入口４から垂直に６０ｍｍ立ち上がった後、バスレフダクト中心線の曲率半径が１００ｍｍで前方へ９０度曲がり、一定断面部分が４０ｍｍ続いた後、幅２００ｍｍ高さ８０ｍｍの長方形断面に向かって断面が滑らかに変形拡大するバスレフダクト３を用意する。前記花弁型バスレフダクト３と、四角型バスレフダクト３のフランジ部分は同一形状であり、分離脱着機構を構成しており、相互に交換が可能である。従って様々な音響特性や外観のバスレフダクトに交換が可能である。
実施例４  図１３及び図１４に示すスピーカーの筐体１の背面の、左右面及び上面からの距離が等しい位置に内径６１ｍｍの穴を空ける。ここに内径５１ｍｍ外径６０で真円断面で後方へ２０ｍｍ伸びた後、曲率半径１２０ｍｍで上方から前方へ１７０度曲がり、その後内径２００ｍｍになるようラッパ状に滑らかに拡大するバスレフダクト３を取り付ける。またバスレフダクト拡大部内部には外径２０ｍｍ長さ１２０ｍｍで先端と後端が丸められた丸棒状の挿入物９が、中心から３方向へ放射状に延びる厚さ１ｍｍ前後長さ１０ｍｍの支持部材１１を介して、バスレフダクト拡大部の内壁に支持されている。これによりバスレフダクト拡大部の断面積を緻密に制御することで、所定の音響特性を得、高音質を実現できる。なお、前記挿入物９は支持部材１１を介してバスレフダクト３に固定したが、固定する場所、固定する方法に関しては特定するものではない。
更に本実施例のバスレフダクト３の根元には実施例３と同様の多数の穴が開いたフランジ１０が固定されており、角度調整機構及び分離脱着機構を構成している。両機構によりバスレフダクト出口を筐体上部から左右や任意の角度に変更することが可能であり、スピーカー設置の柔軟性が増す。
【００１２】  これらの実施例における寸法及び数値は一例であり、スピーカーの大きさや特性や設計意図により様々な値をとる。本考案のバスレフダクトは塩ビ管などの汎用の規格品の直管や曲げ部品などを組み合わせて構築する事もでき、一体成型でバスレフダクト全体を製作することもできる。場合によっては筐体とバスレフダクトが滑らかな曲線で繋がった一体形状という事もありうる。バスレフダクトの断面形状は円形や四角形である必要は無く、三角形や五角形や楕円や花弁型や星形やハート形など任意の形状で製作する場合もある。バスレフダクトの中心線も直線や円弧である必要は無く、任意の曲線とする場合もある。途中に一定断面部分が存在する場合も、存在しない場合もある。バスレフダクトの本数は１つの筐体に対して複数の場合もある。バスレフダクトは途中で分岐や合流する場合もある。本考案のバスレフダクトは筐体の任意の面に取り付け可能であり、筐体が摩訶不思議な曲面で構成されていてもあらゆる面に取り付け可能である。バスレフダクト出口の向きもあらゆる向きに取り付ける可能性がある。スピーカーユニットとバスレフダクト出口の向きは同一の場合もあり、異なる場合もある。実施例ではスピーカーユニットが１個の例を示したが、スピーカーユニットが複数個や複数種類の場合も勿論ある。設計意図によっては筐体内部へバスレフダクトが突出する場合もあり、突出しない場合もある。拡大部分の一部分又が筐体内部にも存在する場合がある。バスレフダクトの出口だけでなく、入口にも拡大というか縮小部を設ける場合もある。拡大部の長手方向断面における内径表面線は円弧の場合もあり、直線の場合も、段階状の場合も、任意の曲線の場合もある。
【符号の説明】
【００１３】１  筐体
２  スピーカーユニット
３  バスレフダクト
４  入口
５  出口
６  拡大部分
７  一定断面部分
８  曲がり部
９  挿入物
１０  フランジ
１１  支持部材
【図１】
0003229993.tif 000003
【図２】
0003229993.tif 000004
【図３】
0003229993.tif 000005
【図４】
0003229993.tif 000006
【図５】
0003229993.tif 000007
【図６】
0003229993.tif 000008
【図７】
0003229993.tif 000009
【図８】
0003229993.tif 000010
【図９】
0003229993.tif 000011
【図１０】
0003229993.tif 000012
【図１１】
0003229993.tif 000013
【図１２】
0003229993.tif 000014
【図１３】
0003229993.tif 000015
【図１４】
0003229993.tif 000016